(57)【要約】【課題】近年、クラウド、コンピユータ、ソフトウェアシステムの複雑化により前記ソフトウェア再スタート時入力手段のリセット動作、認証カードの認証が不確実、不安定になりシステムにエラーメッセージが表示されたりそれ自体がフリーズしたりする。従来は入力手段の接続コードの手動抜差、コンピユータの電源、リセットスイッチをオン‐オフして対処していた。しかし、外部接続手段の端子接点摩耗、ノイズ発生により動作が不安定になりシステムの信頼性が低下する問題があった。【解決手段】本発明の入力手段リセット装置によれば、クラウド（クラウドコンピユーティング、ネットワーク）、ルーター、コンピユータ外部接続手段と入力手段間に本装置を接続してその電源回路及びまたは信号回路を必要に応じて電子または機械的にオン‐オフしてリセットすることにより入力手段を安全に初期化及びまたは最適化することができる。【選択図】図１
2019114144.tif 000002
【特許請求の範囲】
【請求項１】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項２】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項３】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項４】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項５】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項６】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項７】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項８】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項９】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項１０】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項１１】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項１２】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項１３】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項１４】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項１５】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項１６】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項１７】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項１８】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項１９】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項２０】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項２１】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項２２】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項２３】
コンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とアンチシフト機能を有したアンチシフト手段とを設けたことを特徴とする入力手段リセット装置
【請求項２４】
コンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とアンチシフト機能を有したアンチシフト手段とを設けたことを特徴とする入力手段リセット装置
【請求項２５】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項２６】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項２７】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項２８】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項２９】
キーボード等入力手段に内蔵しコンピユータのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項３０】
キーボード等入力手段に内蔵しコンピユータのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項３１】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項３２】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項３３】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項３４】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項３５】
プラスチック、ガラス等透明部材の筐体にコンピユータのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項３６】
プラスチック、ガラス等透明部材の筐体にコンピユータのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項３７】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項３８】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項３９】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項４０】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項４１】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項４２】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項４３】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項４４】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項４５】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項４６】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項４７】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項４８】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項４９】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段を設けたことを特徴とする入力手段リセット装置
【請求項５０】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段を設けたことを特徴とする入力手段リセット装置
【請求項５１】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とを設けたことを特徴とする入力手段リセット装置
【請求項５２】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項５３】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項５４】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とを設けたことを特徴とする入力手段リセット装置
【請求項５５】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項５６】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項５７】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項５８】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とを設けたことを特徴とする入力手段リセット装置
【請求項５９】
クラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とこれを警報するアラーム手段とアンチシフト機能を有したアンチシフト手段とを設けたことを特徴とする入力手段リセット装置
【請求項６０】
クラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とこれを警報するアラーム手段とアンチシフト機能を有したアンチシフト手段とを設けたことを特徴とする入力手段リセット装置
【請求項６１】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項６２】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項６３】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項６４】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項６５】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項６６】
キーボード等入力手段に内蔵しクラウドに接続されたルーターのUSB端子等外部接続手段と前記キーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項６７】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項６８】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段とアンチシフト機能を有したアンチシフト手段とを設けたことを特徴とする入力手段リセット装置
【請求項６９】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項７０】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とを設けたことを特徴とする入力手段リセット装置
【請求項７１】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて機械的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【請求項７２】
プラスチック、ガラス等透明部材の筐体にクラウドに接続されたルーターのUSB端子等外部接続手段とキーボード等入力手段の間に接続して前記キーボード等入力手段の電源回路およびまたは信号回路を必要に応じて電子的にオン-オフし前記キーボード等入力手段の接続状態を初期化及びまたは最適化するスイッチ手段と前記接続状態を表示する表示手段とアンチシフト機能を有したアンチシフト手段とこれを警報するアラーム手段とを設けたことを特徴とする入力手段リセット装置
【発明の詳細な説明】
【技術分野】
【０００１】
本発明は、クラウド、ルーター、コンピユータに接続したキーボード等入力手段の電源及びまたは信号回路を必要に応じてオン‐オフすることによりその接続状態を初期化及びまたは最適化することを特徴とする入力手段リセット装置に関するものである。
【背景技術】
【０００２】
従来、コンピユータはそのUSB端子等外部接続手段にキーボード等入力手段を接続してその入力操作を実行している。
ここにおいて前記入力手段のオン‐オフ方法としてUSB端子を例に説明すると
１．USB端子に接続したコードを抜差
２．入力手段からのキー入力操作等によりコンピユータ内OS等コンピユータソフトを再起動
３．コンピユータの電源及びまたはリセットスイッチをオン‐オフ
４．USB端子と入力手段との間にUSB切替器等を接続し電源及びまたは信号回路をオン‐オフ
する方法がある。
【先行技術文献】
【非特許文献】
【０００３】
【非特許文献１】「Engadget」「USB端子を焼き切る「セキュリティ機器」が出資募集中。使えば未来永劫USBからの流出を阻止」http://japanese.engadget.com/2015/11/09/USB-USB/
【非特許文献２】「SANWA  SUPPLY」「USBコネクタ取付けセキュリティ  セキュリティ・ワイヤー」https://www.sanwa.co.jp/product/acc/security/USBport.html
【非特許文献３】「Common Access Card」https://www.ibm.com/support/knowledgecenter/ja/SSW2NF_9.0.1/com.ibm.ase.help.doc/topics/t_authenticate_with_cac.html
【非特許文献４】「Anti-theft system」Wikpediahttps://en.wikipedia.org/wiki/Anti-theft_system
【発明の概要】
【発明が解決しようとする課題】
【０００４】
ここにおいて、前記方法を考察すると
１．USB端子に接続したコードを抜差
これは手動でUSB端子を引抜くため端子接点間のチャッタリング、接点間摩耗による雑音、ノイズが発生してコンピユータが誤動作する。
２．入力手段からのキー入力操作等によりコンピユータのOS等コンピユータソフト
再起動
これは装置の再起動時等に処理時間がかかりビシネス活動が停滞する。
３．コンピユータの電源及びまたはリセットスイッチをオン‐オフ
これは実行中の入力情報が消去される心配がある。
４．USB端子と入力手段との間にUSB切替器を接続しこれにより電源及びまたは信号回路をオン‐オフ
これは空きUSBポートからの情報抜き取りが懸念される。
そこで、USB  KillerといってPC の USB 端子を二度と使えなくする方法やUSB端子を器具でふさぐ方法もあるが
この方法では、コンピユータ本体USB端子を損傷する恐れがあるし他の機材が接続できなくなってしまう欠点がある。
Engadget
「USB端子を焼き切る「セキュリティ機器」が出資募集中。使えば未来永劫USBからの流出を阻止」
http://japanese.engadget.com/2015/11/09/USB-USB/
SANWA  SUPPLY
「USBコネクタ取付けセキュリティ  セキュリティ・ワイヤー」
https://www.sanwa.co.jp/product/acc/security/USBport.html
また、各種団体、個人情報等の認証カード、Common Access Card、スマートカード (Smart Card)やチップカード (chip card)等認証カードの読取り機を前記入力手段に内蔵した装置がある。これはコンピユータシステム起動時認証カードを読取る必要があり操作回数が多い。このため、認証カード読取り機の接点摩耗等により読取エラーが発生する。さらに、挿入操作で認証カードの接点が摩耗してその寿命が短くなってしまう欠点があった。
「Common Access Card」
https://www.ibm.com/support/knowledgecenter/ja/SSW2NF_9.0.1/com.ibm.ase.help.doc/topics/t_authenticate_with_cac.html
【課題を解決するための手段】
【０００５】
本発明の入力手段リセット装置は、クラウド、コンピユータ、ルーターのUSB端子等外部接続手段とキーボード等入力手段の間にこの装置を接続して必要に応じてその電源回路及びまたは信号回路を機械、電子的にオン‐オフすることによりその接続状態を初期化及びまたは最適化する。
【発明の効果】
【０００６】
本発明の入力手段リセット装置によれば、クラウド、コンピユータ、ルーターに接続したキーボード等入力手段の接続状態を安全簡単に初期化及びまたは最適化することができる。さらにコンピユータウイルスの混入やスパイウエア、マルウエア等の潜入も予防できる。
また、認証カードが一体化した前記入力手段では認証カード読取り挿入回数が減少して認証カードの認証エラーが軽減されることで認証カードの寿命が飛躍的に向上する。
【図面の簡単な説明】
【０００７】
【図１】本発明入力手段リセット装置のシステム構成を示す図
【図２】本発明の入力手段リセット装置の内部構成を示す図
【図３】本発明の入力手段リセット装置のその他のシステム構成を示す図
【図４】本発明の入力手段リセット装置のその他のシステム構成を示す図
【図５】本発明の入力手段リセット装置のその他のシステム構成を示す図
【図６】本発明の入力手段リセット装置のその他のシステム構成を示す図
【図７】本発明の入力手段リセット装置のその他のシステム構成を示す図
【発明を実施するための形態】
【０００８】
本発明は、クラウド（クラウドコンピユーティング、ネットワーク）、ルーター、コンピユータのUSB端子等外部接続手段に接続したキーボード等入力手段を必要に応じて電子、機械的にオン‐オフすることによりその接続状態を初期化及びまたは最適化することを特徴とする入力手段リセット装置に関するものである。
ここでいうUSB端子等とはUSB2.0、USB3.0シリーズを対象とすればよい。
本発明の入力手段リセット装置は、前記外部接続手段としてUSB端子等外部接続手段の他にLAN、RS232C、ブルーツース無線等の外部接続手段を前記入力手段間に挿入して使用する。
また、前記入力手段にはキーボード単独の他に各種認証カードを読みとるカード読取機を内蔵したものを使用してよい。前記認証カードは各種団体、個人情報等の認証カード、Common Access Card、スマートカード (smart card)やチップカード (chip card)等認証カードを使用すればよい。本入力手段リセット装置構造は、単数または複数のスイッチからなるスイッチ手段とその接続状態を検知する検知手段、検知手段からの信号で駆動する駆動手段と駆動手段により駆動し前記接続状態を色、発光、文字、画像等で表示する表示手段とにより構成する。
本入力手段リセット装置は、前記スイッチ手段を必要に応じて切替手段により前記入力手段への入力手段への電源電力、入力手段信号をオン‐オフ(on-off )することで電源回路及びまたは信号回路の接続状態を初期化及びまたは最適化する。本入力手段リセット装置は、改竄防止のためその筐体を透明な樹脂等で構成してもよい。前記表示手段の代わりに音声や警報を発するアラーム手段を設けてもよい。前記検知手段、駆動手段、表示手段及びまたはアラーム手段は必要に応じて構成すればよい。前記スイッチ手段には機械的スイッチや半導体を使用した電子的スイッチを使用すればよい。
前記入力手段リセット装置は前記入力手段に内蔵し一体化してもよい。
また、前記カード読取機により前記スイッチ手段を駆動し電源回路及びまたは信号回路をオン‐オフするようにしてもよい。前記検知手段から検知信号を発生してコンピユータの内蔵ソフトにより前記入力手段の電源回路及びまたは信号回路をオン‐オフするようにしてもよい。
本入力手段リセット装置にアンチシフト（Ant&#8212;theft）機能を有したアンチシフト手段（設定）を設けて防犯、盗難防止、改竄防止をするようにしてもよい。さらに、アンチシフト手段により表示手段及びまたはアラーム手段を駆動してもよい。
前記入力手段にブルーツース機器を内蔵した入力手段を使用してもよい。
この時に、前記入力手段リセット装置はブルーツース機器のレシーバー側とコンピユータのUSB端子等外部接続手段間に接続して使用すればよい。
本入力手段リセット装置はさらにクラウドに接続したルーター等のUSB端子等外部接続手段間に使用してもよい。
「Anti-theft system」Wikpedia
https://en.wikipedia.org/wiki/Anti-theft_system
【実施例１】
【０００９】
本発明の入力手段リセット装置を一実施例により説明する。
本発明入力手段リセット装置は、クラウド、ルーター、デスクトップＰＣ,ノートＰＣ等コンピユータのUSB端子等外部接続手段とキーボード等入力手段との間に挿入して使用する。
USB端子等とはUSB2.0、USB3.0シリーズを対象とすればよい。
前記入力手段リセット装置は必要に応じて入力手段の電源及びまたは信号回路をオン‐オフすることにより前記コンピユータとの接続状態を簡単に初期化及びまたは最適化する。
ここでは、外部接続手段としてコンピユータのUSB端子等外部接続手段を例に説明するがLAN、RS232C、ブルーツース等無線外部接続手段と入力手段間に挿入して使用してもよい。
まず、コンピユータを使用した例を説明する。
図１は、本発明入力手段リセット装置のシステム構成を示している。
同図において、入力手段リセット装置1はコンピユータ100の外部接続手段ここではUSB端子101とキーボード、マウス、イメージスキャナ、デジタルカメラ、ジョイスティック等入力手段20間にコード接続手段30、31により接続する。コンピユータ100は必要に応じて電源スイッチまたはリセットスイッチ102により強制的に終了、再起動する。前記接続は入力手段リセット装置1側に接続用の例えばメスコネクタ（図示せず）を設けてこれに入力手段20から出ているUSBコネクタ等のコード接続手段31を接続するようにしてもよい。また、入力手段20にはキーボード21の他に各種認証カード24をカード挿入口23に挿入して読みとるカード読取機（カードリーダー）22内蔵タイプを使用してもよい。ここでいう認証カードは各種団体、個人情報等の認証カード、Common Access Card、スマートカード (smart card)やチップカード (chip card)等認証カードである。
次に、入力手段リセット装置1内部の詳細を説明する。
入力手段リセット装置1には、各種単数または複数のスイッチ手段10が設けられている。これらは必要に応じて押釦等で構成された切替手段２の切替操作PSによりオン‐オフを実行する。
つまり、切替操作PSの実行により入力手段20への電源電力DG、入力手段信号SGをオン‐オフすることによりこれらの電源回路及びまたは信号回路（図示せず）の前記接続状態を初期化及びまたは最適化している。入力手段リセット装置1はその筐体を透明な樹脂等で構成し内部配線等を可視化することで穴あけ、こじ開け等による故意な改竄を透明化して入力手段信号SGのデータ盗聴、潜入等を予防するようにしてもよい。また、筐体、コード接続手段のシールド化による電磁シールドを施してもよい。
図２は、入力手段リセット装置1の内部構成を示している。入力手段リセット装置1は単数または複数のスイッチ11A&#8212;11N から構成するスイッチ手段10とその接続状態を検知する検知手段12、検知手段12からの検知信号で駆動する駆動手段14と駆動手段14からの駆動信号により前記接続状態を色、発光、文字、画像等で表示する単数または複数の表示手段13A、13Bをから構成する。表示手段13A、13Bはそれぞれ個別にオン‐オフ状態を表示するようにしてもよい。
ここにおいて、表示手段13A、13Bの代わりに音声や警報を発する図示しないアラーム手段を設けてもよい。また、この表示手段13A、13B及びまたはアラーム手段は必要に応じて図示しない切替スイッチにより切替えて使用してもよい。また、この表示手段13A、13B、前記アラーム手段は必要に応じて省略してもよい。
さらに、スイッチ手段10はスイッチ11A&#8212;11Nを連動動作にしてもよい。スイッチ11A&#8212;11Nにはリードリレー、トグルスイッチ等機械的スイッチやトランジスタ、FET、サイリスタ、フォトリレー等半導体素子を使用した電子スイッチを使用してもよい。
スイッチ手段10のオン‐オフ動作として
１．電源電力DGのみをオン‐オフする。
２．入力手段信号SGのみをオン‐オフする。
３．電源電力DG及び入力手段信号SGを同時にオン‐オフする。
4.  電源電力DG及びまたは入力手段信号SGを必要に応じて例えば時間差でオン‐オフする。
を実行すればよい。
さらに、入力手段リセット装置1にアンチシフト機能として図示しないアンチシフト手段を付加してコンピユータ100、入力手段20を例えば悪意のある取外しから予防することにより各種改竄防止をするようにしてもよい。
また、前記取外しを前記アラーム手段により警告するようにしてもよい。
また、例えば入力手段20に認証番号発生装置を取付けてコンピユータ100と入力手段20入力手段リセット装置1との組合せを特定するようにしてもよい。
図３- 6は本発明の本発明の入力手段リセット装置１のその他システム構成を示している。
【実施例２】
【００１０】
図３の実施例について説明する。
図３は、前記入力手段リセット装置１を入力手段20に内蔵した場合の装置例を示す。
この入力手段リセット装置１では入力手段20との配線は装置１内部で結線する。そしてUSB端子101とはコード接続手段30により接続する。
【実施例３】
【００１１】
図４の実施例について説明する。この実施例では図３の前記入力手段リセット装置１についてカード読取機22と連動するようにした装置例を示す。ここでは、カード読取機22での認証カード24のカード読取りに際し認証カード24の抜差しと連動して図示しない前記入力手段リセット装置１のスイッチ手段10を駆動する機構を設ける。これにより、電源電力DG、入力手段信号SGをオン‐オフして前記電源回路及びまたは信号回路を自動的に          初期化及びまたは最適化する。この入力手段20において切替手段２はキーボード21面に取付けてもよいしこれを省略してもよい。前記表示手段及びまたはアラーム手段は必要に応じて図示しない切替スイッチ等で選択できるようにしてもよい。さらに、予めコンピユータ100に入力手段20をオン‐オフする内蔵ソフト103をインストールする。検知手段12からの前記検知信号（図示せず）をコード接続手段30によりUSB端子101を介してコンピユータ100に伝達する。これにより認証カード24の抜差しを解析して入力手段20のオン‐オフをするようにしてもよい。
【実施例４】
【００１２】
図5の実施例は、図３で説明した入力手段20にコンピユータ通信機能であるブルーツース機器を内蔵した入力手段20Aを使用した装置例を示している。
この時、前記入力手段リセット装置１はコード接続手段30、31を介してブルーツース機器のレシーバー40とコンピユータ100のUSB端子101間に接続すればよい。
ここでは、前記ブルーツース機器を使用した例について説明したがこの発明の前記入力手段リセット装置１は光ケーブルを使用した伝送システムに使用してもよい。
【実施例５】
【００１３】
図6の実施例は図４で説明した入力手段20に前記ブルーツース機器を内蔵している入力手段20Bを使用した装置例を示している。この装置では入力手段リセット装置１はブルーツース機器のレシーバー40側とコンピユータ100のUSB端子101間にコード接続手段30    により接続すればよい。ここでは、前記ブルーツース機器を使用した例について説明したがこの発明の前記入力手段リセット装置１は光ケーブルを使用した伝送システムに使用してもよい。
【実施例６】
【００１４】
図７の実施例はコンピユータ100の代わりにクラウド（クラウドコンピユーティング、ネットワーク）200を使用した装置例を示す。
ここでは図１で説明した入力手段20に対し前記入力手段リセット装置１をクラウド200に接続されたルーター201A−201Nの外部接続手段であるUSB端子202A−202Nにコード接続手段30、31を介して接続する。
ここにおいて、クラウド（クラウドコンピユーティング、ネットワーク）200は実施例２−５のコンピユータ100の代わりに使用する。
この発明の前記入力手段リセット装置１は光ケーブルを使用した光ルーターに使用してもよい。
【産業上の利用可能性】
【００１５】
本発明の入力手段リセット装置によれば、本装置をクラウド、ルーター、コンピユータの外部接続手段とキーボード等入力手段の間に接続するだけで前記入力手段を簡単にオン‐オフできる。オン‐オフ動作は外部接続手段の手動による抜差操作ではないので信頼性が向上する。さらに、認証カード、読取り機の内蔵の入力手段に使用すればこれらの寿命が飛躍的に高まりコンピユータ装置の誤動作も改善される。本装置に半導体等を使用すれば装置がさらに長寿命となる。
【符号の説明】
【００１６】
１                       入力手段リセット装置
２                       切替手段                      
１０                     スイッチ手段
11A‐11N                スイッチ                        
１２                     検知手段
１３A,１３B              表示手段
１４                     駆動手段                      
２０,２０A,２０B         入力手段
２１                     キーボード
２２                     カード読取機
２３                     カード挿入口
２４                      認証カード
３０                     コード接続手段
３１                      コード接続手段
４０                     レシーバー
１００                   コンピユータ
１０１                   USB端子
１０２                   電源スイッチまたはリセットスイッチ              
１０３                   内蔵ソフト    
２００                  クラウド
２０１A−２０１N        ルーター
２０２A−２０２N        USB端子  
DG                      電源電力
SG                      入力手段信号  
PS                       切替操作
【図１】
2019114144.tif 000003
【図２】
2019114144.tif 000004
【図３】
2019114144.tif 000005
【図４】
2019114144.tif 000006
【図５】
2019114144.tif 000007
【図６】
2019114144.tif 000008
【図７】
2019114144.tif 000009